(57)【要約】【課題】  着用者の快適性を確保する。【解決手段】  吸収性物品１は、吸収体１２を有する。  この吸収性物品１は、少なくとも着用者の股下に配置される股下部１Ｂにおいて、長手方向に延びて吸収体１２に設けられた溝状部２０と、少なくとも股下部１Ｂにおいて、厚み方向において吸収体１２と重なる位置に、長手方向に延びて設けられた弾性部４１と、吸収体１２において、溝状部２０の設けられた第一吸収体部１２１と、吸収体１２において、溝状部２０の延びる方向に沿って溝状部２０を仮想的に延長した領域Ｒを含み、第一吸収体部１２１よりも目付量の小さい第二吸収体部１２２とを備える。【選択図】図１
2018175885.tif 000002
【特許請求の範囲】
【請求項１】
前身頃と股下部と後身頃とが長手方向にこの順で設けられ、
吸収体を有する吸収性物品であって、
少なくとも着用者の股下に配置される前記股下部において、前記長手方向に延びて前記吸収体に設けられた一対の溝状部と、
前記吸収体において、前記溝状部の設けられた第一吸収体部と、
前記後身頃に幅方向に突設された止着テープと、
前記止着テープが止め付けられ、前記前身頃の最も非肌面側に貼着されたフロントパッチと、
少なくとも前記股下部において、厚み方向において前記吸収体と重なる位置であって、前記フロントパッチの前記股下部側端部から前記後身頃側へ前記長手方向に延びて設けられ、伸張状態で貼り付けられた一対の弾性部とを備えた
ことを特徴とする吸収性物品。
【請求項２】
前記吸収体において、前記溝状部の延びる方向に沿って前記溝状部を仮想的に延長した領域を含み、前記第一吸収体部よりも目付量の小さい第二吸収体部を備えた
ことを特徴とする請求項１に記載された吸収性物品。
【請求項３】
前記第一吸収体部は、前記吸収体において前記長手方向の中央に配置された
ことを特徴とする請求項１または２に記載された吸収性物品。
【請求項４】
前記第二吸収体部は、前記第一吸収体部に対して前記長手方向の一側に配置された
ことを特徴とする請求項２に記載された吸収性物品。
【請求項５】
前記第二吸収体部は、前記第一吸収体部に対して前記長手方向の両側に配置された
ことを特徴とする請求項２に記載された吸収性物品。
【請求項６】
前記第二吸収体部は、前記第一吸収体部よりも厚み方向の寸法が小さい
ことを特徴とする請求項２に記載された吸収性物品。
【請求項７】
前記第二吸収体部は、前記第一吸収体部よりも密度が低い
ことを特徴とする請求項２に記載された吸収性物品。
【請求項８】
前記溝状部は、前記吸収体の圧搾により形成されてなるものである
ことを特徴とする請求項１〜７の何れか１項に記載された吸収性物品。
【請求項９】
前記弾性部は、前記一対の前記溝状部よりも幅方向外側に配置された
ことを特徴とする請求項１〜８の何れか１項に記載された吸収性物品。
【請求項１０】
前記フロントパッチは、前記第二吸収体部の少なくとも一部分に重なるように積層された
ことを特徴とする請求項２に記載された吸収性物品。
【請求項１１】
前記吸収体の肌面側に積層されたトップシートを備え、
前記トップシートに前記溝状部が設けられた
ことを特徴とする請求項１〜１０の何れか１項に記載された吸収性物品。
【請求項１２】
前記溝状部が、前記トップシートを積層した前記吸収体の圧搾により形成されてなるものである
ことを特徴とする請求項１１に記載された吸収性物品。
【発明の詳細な説明】
【技術分野】
【０００１】
本件は、紙おむつや生理用ナプキンといった吸収性物品に関する。
【背景技術】
【０００２】
従来、吸収性物品には、着用者の腹部側と背部側とを結ぶ長手方向に延びる吸収体が設けられている。この吸収体によって、排泄される尿や経血といった液体が吸収される。
ところが、吸収体が不規則に折れ曲がったり捩れたりすると、着用者に対する触感や吸液性の低下を招き、着用者の快適性を確保することができないおそれがある。たとえば、吸収体において着用者の股下に配置される部位は、液体が排泄される主な部位であることから着用者に密着させて装着すべきであるが、脚部に挟まれて変形しやすいため、着用者の快適性を大きく損なう場合がある。
【０００３】
そこで、吸収性物品が着用者に装着された状態において、吸収体を所定形状に折り曲げて保持するための技術が開発されている。
たとえば、長手方向に沿って吸収体の股下部が凹設された溝状部に加えて、長手方向に吸収体を収縮させる弾性部材が設けられた吸収性物品が提案されている。この吸収性物品によれば、溝状部によって吸収体の折り曲がりが案内されるため、吸収体を所定形状に折り曲げることができる。さらに、弾性部材によって折り曲げられた吸収体が着用者の肌面側に持ち上げられるため、折り曲げられた状態の吸収体を保持することができる（特許文献１参照）。
【先行技術文献】
【特許文献】
【０００４】
【特許文献１】特開2015-66308号公報
【発明の概要】
【発明が解決しようとする課題】
【０００５】
上述したように溝状部で吸収体の折り曲げが案内されると、吸収体が所定形状に折り曲げられる。しかしながら、吸収体の前身頃や後身頃に溝状部が設けられていない場合には、前身頃や後身頃で吸収体の折り曲げが案内されず、この折り曲げに対する抗力が働き、吸収体の折り曲げが妨げられるおそれがある。よって、着用者の快適性を向上させるうえで改善の余地がある。
【０００６】
本件の吸収性物品は、上記のような課題に鑑みて創案されたものであり、着用者の快適性の確保を目的の一つとする。
なお、ここでいう目的に限らず、後述する「発明を実施するための形態」に示す各構成から導き出される作用および効果であって、従来の技術では得られない作用および効果を奏することも、本件の他の目的として位置づけることができる。
【課題を解決するための手段】
【０００７】
（１）ここで開示する吸収性物品は、吸収体を有する。
本吸収性物品は、少なくとも着用者の股下に配置される股下部において、長手方向に延びて前記吸収体に設けられた一対の溝状部と、少なくとも前記股下部において、厚み方向において前記吸収体と重なる位置に、前記長手方向に延びて設けられた一対の弾性部と、前記吸収体において、前記溝状部の設けられた第一吸収体部と、前記吸収体において、前記溝状部の延びる方向に沿って前記溝状部を仮想的に延長した領域を含み、前記第一吸収体部よりも目付量の小さい第二吸収体部とを備える。
すなわち、前記吸収体では、前記溝状部の設けられていない部位のほうが前記溝状部の設けられている部位よりも目付量が抑えられている。また、前記第二吸収体部は、前記第一吸収体部に対して前記長手方向の端部側に隣接して設けられる。
【０００８】
（２）前記第一吸収体部は、前記吸収体において前記長手方向の中央に配置されることが好ましい。
（３）前記第二吸収体部は、前記第一吸収体部に対して前記長手方向の一側に配置されることが好ましい。
（４）または、前記第二吸収体部は、前記第一吸収体部に対して前記長手方向の両側に配置されることが好ましい。
【０００９】
（５）前記第二吸収体部は、前記第一吸収体部よりも厚み方向の寸法が小さいことが好ましい。
（６）前記第二吸収体部は、前記第一吸収体部よりも密度が低いことが好ましい。
（７）前記溝状部は、前記吸収体の圧搾により形成されてなるものであることが好ましい。
（８）なお、前記弾性部は、前記一対の前記溝状部よりも幅方向外側に配置されることが好ましい。
【００１０】
（９）そのほか、本吸収性物品は、前身頃と前記股下部と後身頃とが長手方向にこの順で設けられる。また、前記後身頃に幅方向に突設された止着テープと、前記止着テープが止め付けられ、前記前身頃の最も非肌面側に貼着された通気性のフロントパッチとを備えることが好ましい。
（１０）さらに、前記フロントパッチは、前記第二吸収体部の少なくとも一部分に重なるように積層されることが好ましい。
【発明の効果】
【００１１】
本件の吸収性物品によれば、吸収体の折り曲げに対する第二吸収体部の抗力が抑えられるため、第一吸収体部の溝状部で吸収体を確実に折り曲げることができ、この折り曲げを弾性部で保持することができる。よって、着用者の快適性を向上させることができる。
【図面の簡単な説明】
【００１２】
【図１】展開された紙おむつ（吸収性物品）の平面図である。
【図２】図１の紙おむつを分解して示す斜視図である。
【図３】図１の紙おむつにおける要部を示す断面図（図１のα−α断面図）である。
【図４】装着状態の紙おむつにおける要部を示す断面図である。
【発明を実施するための形態】
【００１３】
図面を参照して、実施形態としての吸収性物品について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１４】
本実施形態の吸収性物品は、着用者に装着され、尿や経血といった液体を吸収する衛生用品である。この吸収性物品としては、テープ型やパンツ型の紙おむつ（いわゆる「使い捨ておむつ」）、尿パッド、生理用ナプキン、パンティーライナーなどが挙げられる。以下の実施形態では、吸収性物品としてテープ型の紙おむつを例示する。
【００１５】
本実施形態では、紙おむつについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、紙おむつが着用者に装着された状態（以下「装着状態」と略称する）において、着用者の肌に向かう側（装着された状態で内側）を肌面側とし、肌面側の反対側（装着された状態で外側）を非肌面側とする。さらに、肌面側と非肌面側とを結ぶ方向を厚み方向とし、長手方向と厚み方向の何れにも直交する方向を幅方向とする。そのほか、厚み方向から視ることを平面視とする。
【００１６】
［Ｉ．一実施形態］
［１．紙おむつ］
［１−１．基本的な構成］
まず、図１および図２を参照して、紙おむつ１の基本的な構成を説明する。この紙おむつ１は、幅方向の中心線Ｃを基準として対称に形成されている。なお、図２では、各部材における幅方向の中心線を示す符号について、各部材を示す符号を符号「Ｃ」に下付きで追記している。
紙おむつ１は、長手方向に沿って前身頃１Ａ、股下部１Ｂおよび後身頃１Ｃの三つの領域に大別される。
【００１７】
この紙おむつ１には、後身頃１Ｃで幅方向に突出する止着テープ２が設けられ、前身頃１Ａの最も非肌面側にフロントパッチ３（図１では破線で示す）が設けられている。ここでは、通気性のフロントパッチ３が用いられている。止着テープ２がフロントパッチ３に止め付けられることで、紙おむつ１が着用者に装着される。
また、股下部１Ｂの幅方向寸法は、一般的な着用者の両脚部の付け根間の寸法よりもやや大きく設定されている。そのため、装着状態では、幅方向に挟まれた股下部１Ｂが折り曲げられた状態となる。この状態では、長手方向に折れ目が延びる。
【００１８】
つぎに、図１〜図３を参照して、紙おむつ１を構成するシート類について述べる。
紙おむつ１には、前身頃１Ａ、股下部１Ｂおよび後身頃１Ｃに亘って長手方向に延びる吸収体１２（図１では太破線で示す）が設けられている。図１および図２では、前身頃１Ａおよび後身頃１Ｃよりも股下部１Ｂのほうが幅方向寸法の小さい吸収体１２を例示する。ただし、幅方向寸法が一定の吸収体１２を用いてもよい。
【００１９】
吸収体１２は、着用者から排泄される液体を吸収して保持する部材である。この吸収体１２については、この例ではマット状であるため、以下の説明では「マット１２」と呼ぶが、吸収体の形状については、マット状に限られず当技術分野で知られる種々の形状のものを採用することができる。
たとえば、粉砕あるいは解繊されたパルプ（いわゆる「フラッフパルプ」）に高吸水性樹脂（いわゆるＳＡＰ〈Superabsorbent polymer〉、高吸水性高分子あるいは高吸水性ポリマーとも称される）が混合されたコアをラップシートで被包（ラップ）したものがマット１２に用いられる。
【００２０】
このマット１２に対して肌面側および非肌面側には、以下に述べる種々のシートが積層されている。
マット１２の肌面側には、トップシート１１が積層されている。
トップシート１１は、紙おむつ１で最も肌面側に配置される。このトップシート１１は、着用者から排泄された液体をマット１２に吸収させるために、液体を透過させる性質（液透過性）をもつ。そして、トップシート１１は、マット１２の肌面側を被覆する。
【００２１】
さらに、トップシート１１およびマット１２に対して幅方向側方のそれぞれには、サイドシート１０が設けられている。
サイドシート１０は、トップシート１１と同様に紙おむつ１で最も肌面側に配置される。このサイドシート１０は、排泄された液体の漏れを防止するために、液体を透過させない性質（液不透過性）をもつ。
【００２２】
マット１２の非肌面側には、バックシート１３が積層されている。このバックシート１３の非肌面側にはカバーシート１４が積層されている。
バックシート１３は、マット１２からの液漏れを防ぐために、液不透過性をもつ。このバックシート１３は、マット１２を非肌面側から被覆する。たとえば、ポリエチレン（PE）やポリプロピレン（PP）といった熱可塑性の樹脂シートがバックシート１３に用いられる。
【００２３】
図１および図２に示すように、カバーシート１４は、紙おむつ１の股下部１Ｂおよび後身頃１Ｃで最も非肌面側に配置される。このカバーシート１４は、バックシート１３を補強するとともに触感（たとえば手触り）を向上させるために設けられ、バックシート１３を非肌面側から被覆する。
なお、カバーシート１４は、単層構造に限らず、インナカバーシートおよびアウターカバーシートを有する多層構造であってもよい。
【００２４】
カバーシート１４の非肌面側には、フロントパッチ３が貼着されている。
このフロントパッチ３は、止着テープ２とともにファスニング機構を構成するものであり、止着テープ２は、後身頃１Ｃの幅方向両端部のそれぞれに設けられる。図１および図２では、後身頃１Ｃの幅方向両側に二つずつ設けられた止着テープ２を例示する。ただし、少なくとも幅方向両側に一つずつの止着テープ２が設けられていればよい。これらの止着テープ２は、後身頃１Ｃの両縁部のそれぞれから幅方向外側へ延設される。
【００２５】
本実施形態では、止着テープ２とフロントパッチ３とを固定するファスニング機構として、フック材（雄部材）とループ材（雌部材）との機械的結合により固定する面状ファスナーが用いられる。
面状ファスナーは、表面に多数の突起（たとえば鉤状やきのこ状など）が形成されたフック材と、表面にループ状の繊維が配置されたループ材との組み合わせにより構成される。すなわち、止着テープ２およびフロントパッチ３のうちの何れか一方にフック材が設けられ、他方にループ材が設けられる。面状ファスナーを用いることで、フック材およびループ材を剥離可能な状態としつつ強固に固着させることができ、繰り返しの使用も可能となる。
ただし、粘着剤や粘着テープなどをファスニング機構に用いてもよい。
【００２６】
［１−２．詳細な構成］
つぎに、図１〜図３を参照して、紙おむつ１の詳細な構成を説明する。
ここでは、装着状態において、股下部１Ｂを所定形状に折り曲げて保持するための構造（以下「折曲保持構造」という）を述べる。なお、股下部１Ｂの不規則な折れ曲がりや捩れが着用者の快適性を低下させることから、股下部１Ｂを所定形状に折り曲げることで着用者の快適性を確保するために、折曲保持構造が紙おむつ１に設けられている。
この折曲保持構造として、股下部１Ｂの形状を所定形状に折り曲げるためのエンボス部２０（溝状部）が設けられ、所定形状に折り曲げられた股下部１Ｂの形状を保持するためのサポートギャザー３１が設けられている。そのうえ、エンボス部２０によって股下部１Ｂを所定形状へ確実に折り曲げるための構成がマット１２に設けられている。
【００２７】
〈エンボス部〉
エンボス部２０は、股下部１Ｂにおいて長手方向に延びて凹設され、少なくとも一対（二本）の部位である。なお、前身頃１Ａや後身頃１Ｃにはエンボス部２０が設けられていない。
ここでは、トップシート１１およびマット１２にエンボス部２０が設けられている。すなわち、紙おむつ１の肌面側にエンボス部２０が配置される。なお、エンボス部２０は、少なくともマット１２に設けられていればよく、トップシート１１には設けられていなくてもよい。
【００２８】
このエンボス部２０は、少なくともトップシート１１が積層されたマット１２を部分的にプレス（圧搾）することで凹設（エンボス加工）することができる。この場合には、エンボス部２０の設けられたマット１２が圧搾（圧密化）された状態をなしている。言い換えれば、エンボス部２０は、マット１２の圧搾により形成されてなるものである。
図１および図２では、幅方向の中心線Ｃを基準として対称に配置され、互いに平行であって二本で一対をなす直線状のエンボス部２０を例示する。ただし、エンボス部２０は、長手方向の一方から他方に向かうにつれて離間あるいは接近する形状であってもよいし、弧状や波型といった他の形状であってもよい。さらに、三本以上のエンボス部２０が設けられてもよい。
【００２９】
〈サポートギャザー〉
サポートギャザー３１は、装着状態において、マット１２を肌面側に持ち上げて支持するための部位である。このサポートギャザー３１は、エンボス部２０よりも幅方向外側に配置される。ここでは、股下部１Ｂの領域内において、厚み方向において（平面視で）少なくとも一部がマット１２と重なる位置にサポートギャザー３１が配置される。
また、サポートギャザー３１では、皺寄せられた紙おむつ１が長手方向に延びている。ここでは、前身頃１Ａ、股下部１Ｂおよび後身頃１Ｃに亘ってサポートギャザー３１が設けられている。
【００３０】
このサポートギャザー３１は一対設けられ、それぞれ第一弾性部材４１（弾性部、図１では二点鎖線で示す）によって形成される。
第一弾性部材４１は、サポートギャザー３１と同様に、股下部１Ｂの領域内において、平面視で少なくとも一部がマット１２と重なる位置に、エンボス部２０よりも幅方向外側に配置され、長手方向に沿って設けられる。ここでは、エンボス部２０と平行に第一弾性部材４１が配置される。
この第一弾性部材４１は、長手方向にマット１２を収縮させるように設けられる。具体的に言えば、バックシート１３とカバーシート１４との間に第一弾性部材４１が介装され、これらのシート１３、１４と伸張状態の第一弾性部材４１の少なくとも股下部１Ｂの範囲内に位置する部分とが糊付けや縫合などによって互いに固定される。そのため、第一弾性部材４１の収縮方向への弾性力によって、シート１３、１４が皺寄せられ、マット１２が長手方向に収縮させられる。
【００３１】
上記したサポートギャザー３１のほか、立体ギャザー３２およびレッグギャザー３３も紙おむつ１に設けられている。
立体ギャザー３２は、排泄された液体が幅方向外側に漏れることを防ぐために設けられる。この立体ギャザー３２では、サイドシート１０の幅方向内側端縁部が第二弾性部材４
２（図１および図２では密破線で示す）によって肌面側に立設されるとともに皺寄せられる。
レッグギャザー３３は、着用者の脚部への追従性を高めるために設けられる。このレッグギャザー３３は、幅方向に突出しており、サイドシート１０の幅方向外側端縁部、カバーシート１４の幅方向外側端縁部およびバックシート１３の幅方向外側端縁部が第三弾性部材４３（図１では疎破線で示す）によって皺寄せられる。
【００３２】
図１および図２では、幅方向の一方および他方のそれぞれに、三本ずつ設けられた第一弾性部材４１、一本ずつ設けられた第二弾性部材４２、二本ずつ設けられた第三弾性部材４３を例示する。ただし、紙おむつ１において設計されたギャザー３１、３２、３３の幅方向領域やサポーギャザー３１、３２、３３に要求される弾性力（収縮力）などに応じて、種々の本数、弾性力あるいは種類の弾性部材４１、４２、４３を採用することができる。弾性部材４１、４２、４３としては、たとえば、糸ゴム、天然ゴムあるいは伸縮フィルムなどを用いることができる。
【００３３】
〈マット〉
ところで、マット１２は、股下部１Ｂおよび後身頃１Ｃに配置される第一マット部１２１（第一吸収体部）と、前身頃１Ａに配置される第二マット部１２２（第二吸収体部）とに大別される。これらのマット部１２１、１２２は長手方向に隣接している。
股下部１Ｂに配置される第一マット部１２１には、エンボス部２０が設けられている。これに対し、第二マット部１２２には、エンボス部２０が設けられていない。しかし、エンボス部２０をその延在方向（エンボス部２０の延びる方向）に沿って仮想的に延長した領域（以下「延長領域」という）Ｒは、第二マット部１２２に含まれる。言い換えれば、エンボス部２０での折れ目が拡がりうる延長領域Ｒが第二マット部１２２に含まれる。
【００３４】
そこで、第二マット部１２２での折り曲がりに対する抗力の抑制によってエンボス部２０による股下部１Ｂの所定形状への折り曲げを確実にするために、本件のマット１２は、領域（部位）ごとに目付量が調整されている。
具体的に言えば、第二マット部１２２の目付量は、第一マット部１２１の目付量よりも小さい。
たとえば、第一マット部１２１よりも第二マット部１２２における成形材料の積層量を少なくすることで、マット部１２１、１２２の目付量を調整することができる。この場合には、第二マット部１２２のほうが、エンボス部２０を除く第一マット部１２１よりも厚み方向の寸法が小さくなる。
【００３５】
また、第一マット部１２１よりも第二マット部１２２に比重の小さい成形材料を用いれば、マット部１２１、１２２のそれぞれに等しい厚みで各成形材料を積層したとしても、マット部１２１、１２２の目付量を調整することができる。この場合には、第二マット部１２２のほうが第一マット部１２１よりも密度が低くなる。
なお、「目付量」とは単位面積あたりの質量を意味し、「密度」とは単位体積あたりの質量を意味する。
【００３６】
そのほか、第一マット部１２１と第二マット部１２２とが一体に成形されたマット１２に限らず、これらのマット部１２１、１２２が別体に成形されたマット１２を用いてもよい。
なお、平面視では、第二マット部１２２とフロントパッチ３とが重複している。すなわち、第二マット部１２２にフロントパッチ３が積層されている。
【００３７】
［２．装着状態の紙おむつ］
つぎに、図４を参照して、装着状態の股下部１Ｂを説明する。
装着状態では、股下部１Ｂが所定形状に折り曲がった状態となる。具体的には、股下部１Ｂの幅方向断面が「Ｗ」字状の所定形状に折り曲げられる。この「Ｗ」字状をなす部分を二つの並んだＶ字に準えて、一方のＶ字部分および他方のＶ字部分をＶ字部５１、５２と呼ぶ。また、折れ目の位置が肌面側であれば山折りと呼び、非肌面側であれば谷折れと呼ぶ。
【００３８】
この装着状態では、エンボス部２０が折れ目となって股下部１Ｂの谷折れを案内している。具体的に言えば、二つのエンボス部２０を折れ目として股下部１Ｂを谷折りすることで、二つの谷折りが案内される。そして、Ｖ字部５１、５２のそれぞれの角部に対応する部位に二つのエンボス部２０が位置する。このときの股下部１Ｂでは、二つのエンボス部２０の幅方向中間部が逆Ｖ字状に山折りされ、幅方向中心が折れ目となる。
このように所定形状に折り曲げられた股下部１Ｂでは、Ｖ字部５１、５２のそれぞれの幅方向外側に、第一弾性部材４１で形成されるサポートギャザー３１が位置する。これらの第一弾性部材４１あるいはサポートギャザー３１によって、マット１２が長手方向に収縮され、全体的に股下部１Ｂが肌面側に持ち上げられる。
【００３９】
［３．作用および効果］
上述したように紙おむつが構成されるため、以下のような作用および効果を得ることができる。
（１）本実施形態の紙おむつ１によれば、第一マット部１２１よりも第二マット部１２２の目付量が小さいため、第二マット部１２２における折り曲げに対する抗力が抑えられる。この第二マット部１２２におけるエンボス部２０の延長領域Ｒでは、エンボス部２０での折れ目に追従して折り曲げることができるため、エンボス部２０においてマット１２を確実に折り曲げることができる。
【００４０】
さらに、第一弾性部材４１によってマット１２が長手方向に収縮されることで、マット１２が肌面側に持ち上げられ、エンボス部２０でのマット１２の折り曲げを確実に保持することができる。
よって、装着状態において紙おむつ１の股下部１Ｂが所定形状に折り曲げて保持され、触感や吸液性を確保して着用者の快適性を向上させることができる。
【００４１】
仮に、エンボス部２０を第二マット部１２２にまで延長して設けられれば、着用者に対する触感を低下させるおそれがあり、紙おむつ１における腰回りの伸縮を妨げることで装着性を低下させるおそれもある。
これに対して、本件の紙おむつ１では、第二マット部１２２にエンボス部２０が設けられていないため、第二マット部１２２のエンボス部に起因する快適性の低下を防ぐことができる。
そのほか、第二マット部１２２の目付量が抑えられることで、マット１２の材料コストを抑えることができ、紙おむつ１を軽量化することもできる。
【００４２】
（２）紙おむつ１の股下部１Ｂは、着用者の排泄部位に対向して配置されることから、前身頃１Ａや後身頃１Ｃと比較して、要求される吸液量が多い。また、第一マット部１２１は、第二マット部１２２よりも目付量の大きいことから、第二マット部１２２よりも吸液量が確保される。したがって、マット１２の部位ごとに要求される吸液量を満たすマット部１２１、１２２を配置することができる。このような点からも着用者の快適性を向上させることができる。
【００４３】
（３）あるいは、前身頃１Ａに配置される第二マット部１２２よりも股下部１Ｂおよび後身頃１Ｃに配置される第一マット部１２１に対して要求される吸液量が多い場合には、マット１２の部位ごとに要求される吸液量を満たすマット部１２１、１２２を配置することができ、快適性を向上させることができる。
【００４４】
（４）第二マット部１２２のほうが第一マット部１２１よりも厚み方向の寸法が小さければ、紙おむつ１における前身頃１Ａでの嵩張りを抑えることができる。よって、着用者の腹部に対する触感や装着性を向上させることができる。そのほか、前身頃１Ａの把持性（掴みやすさ）を向上することで、紙おむつ１の装着性が高まる。
（５）第二マット部１２２のほうが第一マット部１２１よりも密度が低ければ、第一マット部１２１よりも第二マット部１２２を円滑に変形させることできる。よって、装着状態において所定形状にマット１２を確実に折り曲げることができ、また、着用者に対する第二マット部１２２の追従性を向上させることができる。
【００４５】
（６）長手方向に延びるエンボス部２０は、マット１２の圧搾により形成されてなるものであり、第一マット部１２１が圧搾された状態をなす。そのため、第一マット部１２１においてエンボス部２０の剛性が高められる。よって、第一マット部１２１がエンボス部２０で長手方向に補強される。この補強により、第一マット部１２１で幅方向に延びる折れ目の形成が抑えられる。この点からも、所定形状に股下部１Ｂを確実に折り曲げることができる。
（７）一対のエンボス部２０よりも幅方向外側にサポートギャザー３１、第一弾性部材４１が配置されるため、エンボス部２０での谷折りの幅方向外側から第一マット部１２１を肌面側へ持ち上げるように付勢させることができ、所定形状の折り曲げを確実に保持することができる。
【００４６】
（８）そのほか、止着テープ２の止め付けられるフロントパッチ３が通気性を有するため、紙おむつ１の蒸れを抑えることができる。
（９）このフロントパッチ３は、第一マット部１２１よりも目付量の小さい、即ち、通気性の高い第二マット部１２２に積層される。そのため、フロントパッチ３の通気性の低下が抑えられ、装着者の快適性を確保することができる。
【００４７】
［ＩＩ．変形例］
最後に、本実施形態のその他の変形例について述べる。
たとえば、第二マット部１２２は、少なくとも延長領域Ｒの目付量が第一マット部１２１の目付量よりも小さければよい。つまり、第二マット部１２２は、全領域ではなく一部分の目付量が抑えられていてもよい。この場合には、第二マット部１２２の吸液量を確保しつつ、所定形状にマットを確実に折り曲げることができる。
【００４８】
また、サポートギャザー３１、第一弾性部材４１は、幅方向に対称に設けられるものに限らず、幅方向中心に沿って長手方向に延びていてもよい。この場合には、幅方向の中心線Ｃに沿って紙おむつ１を折り曲げやすくなり、着用者の快適性を向上させることができる。あるいは、サポートギャザー３１、第一弾性部材４１は、平面視でエンボス部２０と重なる位置に配置されてもよいし、エンボス部２０よりも幅方向内側に配置されてもよい。
【００４９】
さらに、エンボス部２０は、前身頃１Ａや後身頃１Ｃの一部に設けられていてもよい。
そのうえ、エンボス部２０に替えてまたは加えて、対応する部分のマット１２が肉抜きされあるいは貫通した溝状部がマット１２に凹設されてもよい。また、エンボス部２０は、マット１２の非肌面側に設けられていてもよく、マット１２の肌面側と非肌面側とに設けられていてもよい。
なお、フロントパッチ３は、第二マット部１２２の少なくとも一部分に重なるように積層（平面視で少なくとも一部分が重複）されていればよい。
【００５０】
そのほか、前身頃１Ａおよび股下部１Ｂに第一マット部が配置され、後身頃１Ｃに第二マット部が配置されてもよい。すなわち、マットにおいて第一マット部に対して長手方向の他側に第二マット部が配置されてもよい。この場合には、後身頃１Ｃよりも前身頃１Ａで要求される吸液量が多い着用者の快適性を向上させることができる。
あるいは、股下部１Ｂに第一マット部が配置され、前身頃１Ａおよび後身頃１Ｃに第二マット部が配置されてもよい。すなわち、マットにおいて第一マット部に対して長手方向の両側に第二マット部が配置されてもよい。この場合には、所定形状にマットを更に確実に折り曲げることができるうえに、マットの成形材料を更に削減させることができ、材料コストをいっそう低減させることでき、更に軽量化することができる。
【符号の説明】
【００５１】
１    紙おむつ（吸収性物品）
１Ａ    前身頃
１Ｂ    股下部
１Ｃ    後身頃
２    止着テープ
３    フロントパッチ
１０    サイドシート
１１    トップシート
１２    マット（吸収体）
１２１    第一マット部（第一吸収体部）
１２２    第二マット部（第二吸収体部）
１３    バックシート
１４    カバーシート
２０    エンボス部（溝状部）
３１    サポートギャザー
４１    第一弾性部材（弾性部）
５１、５２    Ｖ字部
Ｃ    幅方向の中心線
Ｒ    延長領域
【図１】
2018175885.tif 000003
【図２】
2018175885.tif 000004
【図３】
2018175885.tif 000005
【図４】
2018175885.tif 000006